(57)【特許請求の範囲】
【請求項１】
上端に縮径した口部(11)を起立設した等径筒形状の容器本体(1) と、該容器本体(1) 内に、軸心方向に沿って密摺動可能に嵌装した底蓋(2) と、前記口部(11)に組付く組付き筒(33)の内側にガイド筒(31)を、外側に係合筒(34)をそれぞれフランジ部を介して連設した取付けキャップ(3) と、該取付けキャップ(3) に上端を固定して前記ガイド筒(31)の下方に配設され、下端が逆止弁(61)を介して前記容器本体(1) 内に連通しているシリンダ(6) と、頂壁下面に、外周面が前記ガイド筒(31)に摺接し、内周面に複数の縦溝(46)を設けて縦条(47)を形成した内筒(42)と、前記係合筒(34)に抜け出し不能に係合する外筒(44)とを垂下設して、前記取付けキャップ(3) に昇降可能に組付くノズルヘッド(4) と、上端を前記内筒(42)の縦条(47)下部に固定して前記シリンダ(6) 内に位置し、周壁に複数の液孔(71)を開設した有底筒形状のピストンガイド(7) と、前記シリンダ(6) 内からノズルヘッド(4) 内への内容液の流路を開閉すべく、前記ピストンガイド(7) とシリンダ(6) との間に摺動変位可能に配設されたリング状の軟質弾性材製ピストン(8) と、前記ノズルヘッド(4) を取付けキャップに対して、上方に付勢する復帰ばね(5) と、から成り、前記ノズルヘッド(4) の押下げ操作により、前記ピストン(8) が液圧によって相対変位して前記流路を開き、前記シリンダ(6) 内の一定量の内容液が、前記ピストンガイド(7) の内部とピストンガイド(7) 外側に位置する前記縦溝(46)とを通って前記ノズルヘッド(4) 内を圧送され、注出されるようにした注出容器。
【発明の詳細な説明】
【０００１】
【発明の属する技術分野】
本発明は、高粘度の内容液を収納した容器内に外気を吸い込むことなく、内容液を注出する注出容器に関するものである。
【０００２】
【従来の技術】
嫌気性の化粧液とか歯磨き液等の高粘度内容液を収納して、ポンプ機能を有するノズルヘッドに対する押圧操作により、内容液を注出し、この注出した内容液の体積分だけ、容器本体内の内容液収納容積を減少させて、外気を吸い込むことなく、内容液の注出に伴う減圧の発生を防止して、良好な内容液注出動作を維持する注出容器が知られている。
【０００３】
この注出容器の代表的な構成例は、上端にポンプ機能付きのノズルヘッドを、中央に位置したポンプ機能部分を作動させるため昇降可能に組付けた等径筒形状の容器本体内に、軸心方向に沿って密摺動可能に底蓋を嵌装組付けして構成し、底蓋の上位の容器本体内に内容液を収納する。
【０００４】
そして、ポンプ機能部は、容器本体側に固定され、下端が逆止弁を介して容器本体内に連通しているシリンダと、上端がノズルヘッド内に固定されてシリンダ内に位置し、周壁に複数の液孔が開設された有底円筒形状のピストンガイドと、シリンダ内からピストンガイド内への内容液の流路を開閉すべく、このピストンガイドとシリンダとの間に摺動変位可能に配設された軟質弾性材からなるリング状のピストンと、ノズルヘッドをシリンダに対して上方に付勢する復帰ばねと、から構成されている。
【０００５】
この構成において、ノズルヘッドを押下げ操作してシリンダ内の内容液を注出し、ノズルヘッドの復帰動作により略定量の内容液が容器本体内からシリンダ内に吸い上げられると、この内容液の吸い上げにより容器本体内に発生した減圧により、底蓋が上昇変位し、シリンダ内に吸い上げられた内容液の体積分だけ、容器本体内の内容液収納容積を減少させ、もって発生した減圧を消滅させ、以後の内容液の注出動作が円滑に達成できるようにする。
【０００６】
この従来の注出容器は、容器の外観形状を一定に保持したまま、外気を吸い込むことなく内容液の注出を達成することができるので、容器の好ましい外観体裁を保ったまま、内容液の品質を劣化させることなく、一定した良好な使用状態を維持できると云う利点がある。
【０００７】
【発明が解決しようとする課題】
上記した従来技術は、ノズルヘッドの押下げ操作によりシリンダ内の内容液をピストンガイドの下面で押圧し、その液圧によってピストンを相対変位させて流路を開き、シリンダ内の内容液を液孔からピストンガイド内を経てノズルヘッド内を圧送し、注出するものである。
【０００８】
しかしながら、内容液の流路の一部を形成するピストンガイドは、シリンダ内周面との間にピストンを介在させてシリンダ内に配設されるという構造上の制約から、シリンダに比べて小径に形成せざるを得ないため、内部の流路も必然的に細くなり、かつまた内容液が高粘度であるため、ピストンガイド内の流路を内容液がスムースに流れ難く、そのため、ノズルヘッドの押下げ操作によるシリンダ内の内容液の注出に、大きな押圧操作力を必要とすると共に、注出に時間がかかる、と云う問題があった。
【０００９】
そこで、本発明は、上記した従来技術における問題点を解消すべく創案されたもので、シリンダ内からノズルヘッド側に圧送される内容液の流路面積を大きくして内容液が流れ易くすることを技術的課題とし、もってノズルヘッドに対する押圧操作力を軽減させると共に、内容液を迅速に注出できるようにすることを目的とする。
【００１０】
【課題を解決するための手段】
上記技術的課題を解決する本発明の手段は、
上端に縮径した口部を起立設した等径筒形状の容器本体を有すること、
この容器本体内に、軸心方向に沿って密摺動可能に嵌装した底蓋を有すること、容器本体の口部に組付く組付き筒の内側にガイド筒を、外側に係合筒をそれぞれフランジ部を介して連設した取付けキャップを有すること、
この取付けキャップに上端を固定して、取付けキャップのガイド筒の下方に配設され、下端が逆止弁を介して容器本体内に連通しているシリンダを有すること、頂壁下面に、外周面が取付けキャップのガイド筒に摺接し、内周面に複数の縦溝を設けて縦条を形成した内筒と、取付けキャップの係合筒に抜け出し不能に係合する外筒とを垂下設して、取付けキャップに昇降可能に組付くノズルヘッドを有すること、
上端をノズルヘッドの内筒の縦条下部に固定してシリンダ内に位置し、周壁に複数の液孔を開設した有底筒形状のピストンガイドを有すること、
シリンダ内からノズルヘッド内への内容液の流路を開閉すべく、ピストンガイドとシリンダとの間に摺動変位可能に配設されたリング状の軟質弾性材製ピストンを有すること、
ノズルヘッドを取付けキャップに対して上方に付勢する復帰ばねを有すること、ノズルヘッドの押下げ操作により、ピストンが液圧によって相対変位して流路を開き、シリンダ内の一定量の内容液が、ピストンガイドの内部とピストンガイド外側に位置する縦溝とを通ってノズルヘッド内を圧送され、注出されるようにしたこと、
にある。
【００１１】
内容液の注出にあたり、ノズルヘッドを押下げ操作すると、ノズルヘッドと一体に下降するピストンガイドの下面でシリンダ内の内容液が加圧され、その液圧でピストンが相対的に摺動変位して流路を開くため、内容液はその一部が液孔からピストンガイドの内部を通り、他部がピストンガイドの外側に位置する内筒の縦溝を通ってノズルヘッド内を圧送され、注出される。
【００１２】
このように、シリンダ内から圧送される内容液は、従来のピストンガイド内の流路だけでなく、バイパス流路としての内筒の縦溝をも通って送られるので、この流路の増加により内容液の流れはスムースになり、もって軽い押圧操作力でノズルヘッドを押下げ操作することができると共に、内容液を迅速に注出することができることとなる。
【００１３】
【発明の実施の形態】
以下、本発明の一実施例を、図面を参照しながら説明する。
注出容器は、上端に取付けキャップ３を介してポンプ機能付きのノズルヘッド４を組付けた、等径筒形状の硬質合成樹脂製容器本体１内に、その軸心方向に沿って密摺動可能に底蓋２を嵌装組付けして構成し、この底蓋２の上位の容器本体１内に内容液を収納する。
【００１４】
取付けキャップ３は、内側から順に、ガイド筒３１と短筒３２と組付き筒３３と係合筒３４とをそれぞれフランジ部を介して連設して構成され、内周面に螺条を有する組付き筒３３が、容器本体１の上端に縮径して起立設された口部１１に螺合組付けされる。
【００１５】
ノズルヘッド４は、前端に注出ノズル４１を設けた頂壁の下面に、内筒４２と中間筒４３と外筒４４とを垂下設して構成され、内筒４２がガイド筒３１に嵌入摺接すると共に、中間筒４３が組付き筒３３に外嵌摺接し、かつ外筒４４が係合筒３４に抜け出し不能に外嵌係合して、取付けキャップ３に昇降可能に組付き、また頂壁と、ガイド筒３１と短筒３２とを連設するフランジ部との間に配設された復帰ばね５としてのコイルばねにより上方に付勢されている。
【００１６】
ノズルヘッド４の内筒４２の内周面には、図３に示すように複数の縦溝４６を設けて縦条  ４７を形成すると共に、この縦条４７の内面下部は段部を介して凹設され、アンダーカット結合用の組付き条４８に形成されている。
【００１７】
シリンダ６は、その上端部を取付けキャップ３に固定されてガイド筒３１の下方に位置すると共に、その下部は容器本体１の胴部内に配設され、かつ下端部は逆止弁６１を介して容器本体１内に連通している。
【００１８】
有底円筒形状のピストンガイド７は、その周壁に複数の液孔７１が開設されていると共に、この液孔７１の下方に環状凸部が周設されており、環状凸部の上面にピストン受溝７２が周設され、また環状凸部の外周に複数の液溝７３が形成されている。
【００１９】
ピストンガイド７は、その上端部をノズルヘッド４の内筒４２の組付き条４８にアンダーカット結合させることにより、ノズルヘッド４に一体に取付けられ、また、これによりピストンガイド７の上部外周面と内筒４２の下部内周面との間の縦溝４６部分により、複数のバイパス流路４９が形成される。
【００２０】
ピストン８は、ゴム等の軟質弾性材により断面略Ｈ形のリング状に形成されており、ピストンガイド７とシリンダ６との間に、軸心方向に摺動変位可能に配設されている。
【００２１】
すなわち、ピストン８の外周面はシリンダ６の内周面に摺接すると共に、内周側の上部筒片８１の上端部外周面は、ノズルヘッド４の内筒４２の下端部に肉薄に形成されたガイド筒片４５の内周面に摺接し、また下部筒片８２の下端部は、図１に示すノズルヘッド４の上昇限位置において、ピストン受溝７２に係合してシリンダ６内の加圧室９とノズルヘッド４内とを遮断している。
【００２２】
加圧室９は、シリンダ６内の逆止弁６１とピストンガイド７の下端部とピストン８とにより閉じられ、内容液で満たされた空間である。
【００２３】
図１の状態から、ノズルヘッド４を押下げ操作すると、ノズルヘッド４と一体に下降するピストンガイド７の下面で加圧室９内の内容液が加圧されるため、その液圧によりピストン８が相対的に押上げられて、図２に示すように、ピストン受溝７２から離脱し、その結果、内容液は液孔７１から一部はピストンガイド７内の流路を通り、他部はピストンガイド７外側のバイパス流路４９を通ってノズルヘッド４内を圧送され、注出ノズル４１から注出される。
【００２４】
ノズルヘッド４を下降限まで押下げて、加圧室９内の一定量の内容液を注出した後、ノズルヘッド４を解放すると、復帰ばね５の作用力によりノズルヘッド４とピストンガイド７とが一体で上昇するため、ピストンガイド７のピストン受溝７２にピストン８の下部筒片８２が再び係合し、加圧室９内とノズルヘッド４内との間を遮断する。
【００２５】
この状態でノズルヘッド４とピストンガイド７とピストン８とが一体で上昇すると、加圧室９内が負圧になるため、逆止弁６１が開いて容器本体１内の内容液が加圧室９に吸い上げられる。
【００２６】
そして、この内容液の吸い上げにより容器本体１内に発生した減圧により、底蓋２が上昇変位し、加圧室９に吸い上げられた内容液の体積分だけ、容器本体１内の内容液収納容積を減少させ、もって発生した減圧を消滅させ、以後の内容液の注出動作が円滑に達成できるようにする。
【００２７】
【発明の効果】
本発明は、上記した構成となっているので、以下に示す効果を奏する。
ノズルヘッドの押下げ操作によってシリンダ内から圧送される内容液は、従来のピストンガイド内の流路だけでなく、バイパス流路としての内筒の縦溝をも通って送られるので、この流路の増加により内容液の流れはスムースになり、もって軽い押圧操作力でノズルヘッドを押下げ操作することができると共に、内容液を迅速に注出することができる。
【００２８】
バイパス流路を形成する縦溝は、ノズルヘッドの内筒の不要な肉厚を切除した構成となっているので、単に内容液の流路面積を増大させるだけではなく、一つのノズルヘッドの成形材料量の削減をも達成し、これにより材料費の低減化を得ることができる。
【図面の簡単な説明】
【図１】本発明の一実施例を示す、全体半縦断面図。
【図２】図１に示した実施例の、ノズルヘッド押下げ時の状態を示す要部拡大半縦断面図。
【図３】図２におけるＡ−Ａ線断面図。
【符号の説明】
１  ；  容器本体
１１；  口部
２  ；  底蓋
３  ；  取付けキャップ
３１；  ガイド筒
３２；  短筒
３３；  組付き筒
３４；  係合筒
４  ；  ノズルヘッド
４１；  注出ノズル
４２；  内筒
４３；  中間筒
４４；  外筒
４５；  ガイド筒片
４６；  縦溝
４７；  縦条
４８；  組付き条
４９；  バイパス流路
５  ；  復帰ばね
６  ；  シリンダ
６１；  逆止弁
７  ；  ピストンガイド
７１；  液孔
７２；  ピストン受溝
７３；  液溝
８  ；  ピストン
８１；  上部筒片
８２；  下部筒片
９  ；  加圧室
【図１】
0003711393.tif 000002
【図２】
0003711393.tif 000003
【図３】
0003711393.tif 000004